(57)【要約】【課題】  濾過部材を取り外すことなく、また、配管ラインを流れる液体を停止させることなく、濾過部材が捕捉した異物を配管ライン外に排出させることができるとともに、構造が簡単で製造コストを削減することができるＹ型ストレーナを提供する。【解決手段】  配管ライン２３の途中に設けられて、配管ライン２３を流れる液体３０中に含まれる異物３１を捕捉して除去するＹ型ストレーナ１であって、配管ライン２３の途中に接続されるとともに、配管ライン２３を流れる液体３０が内部を通過する本体２と、本体２内に設けられるとともに、配管ライン２３から導いた液体３０を濾過して、液体３０中に含まれる異物３１を捕捉して除去する濾過部材１９と、本体２の内外を連通するドレン管１１と、ドレン管１１を開閉させるドレン弁１２とを備え、濾過部材１９内に、液体３０の流れによって濾過部材１９に接触して、濾過部材１９の内面に付着した異物３１を擦り落とす清掃部材２０を設けた。【選択図】        図１
2017042707.tif 000002
【特許請求の範囲】
【請求項１】
配管ラインの途中に設けられて、配管ラインを流れる液体中に含まれる異物を捕捉して除去するＹ型ストレーナであって、
前記配管ラインの途中に接続されるとともに、前記配管ラインを流れる液体が内部を通過する本体と、該本体内に設けられるとともに、前記配管ラインから導いた液体を濾過して、液体中に含まれる異物を捕捉して除去する濾過部材と、前記本体の内外を連通するドレン管と、該ドレン管を開閉させるドレン弁とを備え、
前記濾過部材内に、前記液体の流れによって前記濾過部材に接触して、前記濾過部材の内面に付着した異物を擦り落とす清掃部材を設けたことを特徴とするＹ型ストレーナ。
【請求項２】
前記清掃部材は、楕円体状の本体と、該本体の表面に植設されるブラシとからなることを特徴とする請求項１に記載のＹ型ストレーナ。
【請求項３】
前記清掃部材は、球体状又は多面体状の本体と、該本体の中心から偏心した位置に設けられる錘と、該本体の表面に植設されるブラシとからなることを特徴とする請求項１に記載のＹ型ストレーナ。
【請求項４】
前記本体には、該本体の内外を連通するドレン管と、該ドレン管を開閉させるドレン弁とが設けられ、
前記本体は、前記ドレン管の内径よりも大きく形成されていることを特徴とする請求項２又は３に記載のＹ型ストレーナ。
【発明の詳細な説明】
【技術分野】
【０００１】
本発明は、Ｙ型ストレーナに関し、特に、配管ラインの途中に接続される本体と、本体内に設けられる濾過部材と、濾過部材内に設けられる清掃部材とを備え、配管ラインを停止させることなく、濾過部材が捕捉した異物を配管ライン外に排出させることができるＹ型ストレーナに関する。
【背景技術】
【０００２】
従来、各種の配管ラインを流れる水、油等の液体中には、配管の内壁面から剥離した錆や塵等の異物が混入するため、配管ラインの途中にＹ型ストレーナを設けて配管ラインを流れる液体を濾過し、液体中に含まれる異物を捕捉して除去することにより、異物が含まれていない液体を各種の機器等に導き、各種の機器等が液体中に含まれる異物によって故障等するのを防止している。
【０００３】
この種のＹ型ストレーナの例が特許文献１、２に記載されている。特許文献１に記載のＹ型ストレーナ（逆洗式Ｙ型ストレーナ）は、配管ラインの途中に接続されるストレーナ本体と、ストレーナ本体に取り付けられる濾過部材（スクリーン）と、ストレーナ本体の開口部を開閉する蓋と、ストレーナ本体の内外を連通するドレン管と、ドレン管を開閉するドレン弁とを備えている。
【０００４】
このような構成のＹ型ストレーナは、配管ラインを流れる液体を濾過部材で濾過することにより、液体中に含まれる異物を捕捉して除去することができ、異物が含まれていない液体を配管ラインの下流側の各種の機器等に供給することができる。
【０００５】
ところで、特許文献１に記載のＹ型ストレーナは、液体中に含まれる異物を濾過部材で捕捉して除去することはできるが、定期的に濾過部材を取り外してブラシ等で清掃し、濾過部材の内面等に付着した異物を除去する作業が必要になり、その作業に時間と手間がかかる。また、濾過部材の清掃作業が完了するまでの間、配管ラインの液体の流れを止めて、各種の機器等を停止させる必要があるため、各種の機器等の稼働率が低下する。
【０００６】
特許文献２に記載のＹ型ストレーナ（ストレーナ装置）は、ストレーナ本体と、ストレーナ本体に取り付けられる濾過部材（スクリーン体）と、ストレーナ本体の開口部を開閉する蓋と、蓋に設けられるドレン孔と、ドレン孔を開閉するドレンボルトと、濾過部材内に回転自在に設けられる駆動軸と、駆動軸にスパイラル状に植設されるとともに、先端が濾過部材の内面に摺接されるブラシと、駆動軸に支持されるとともに、配管ライン内を流れる液体によって回転可能な水車とを備えている。
【０００７】
特許文献２に記載のＹ型ストレーナは、配管ラインを流れる液体によって水車が回転し、水車の回転に追従して駆動軸を介してブラシが回転することにより、濾過部材の内面に付着した異物をブラシで擦って除去することができる。また、除去した異物は、ドレンボルトを外すことにより、ドレン孔を通じて配管ライン外に排出させることができる。
【０００８】
従って、濾過部材を取り外して、濾過部材の内面に付着した異物をブラシ等で除去する作業が不要になるとともに、配管ラインを流れる液体を停止させて、各種の機器等を停止させる必要もない。
【０００９】
しかし、特許文献２に記載のＹ型ストレーナは、水車、駆動軸、駆動軸を支持する軸受、駆動軸にスパイラル状に植設されるブラシ等が必要になるため、構造が複雑になり、製造コストが高くつき、製品コストが高くなる。
【先行技術文献】
【特許文献】
【００１０】
【特許文献１】特開平６−３０４４１８号公報
【特許文献２】特開２０１２−１４８２１１号公報
【発明の概要】
【発明が解決しようとする課題】
【００１１】
本発明は、上記のような従来の問題に鑑みなされたものであって、濾過部材を取り外すことなく、また、配管ラインを流れる液体を停止させることなく、濾過部材が捕捉した異物を配管ライン外に排出させることができるとともに、構造が簡単で製造コストを削減することができるＹ型ストレーナを提供することを目的とする。
【課題を解決するための手段】
【００１２】
上記のような課題を解決するために、本発明は、以下のような手段を採用している。
すなわち、本発明は、配管ラインの途中に設けられて、配管ラインを流れる液体中に含まれる異物を捕捉して除去するＹ型ストレーナであって、前記配管ラインの途中に接続されるとともに、前記配管ラインを流れる液体が内部を通過する本体と、該本体内に設けられるとともに、前記配管ラインから導いた液体を濾過して、液体中に含まれる異物を捕捉して除去する濾過部材と、前記本体の内外を連通するドレン管と、該ドレン管を開閉させるドレン弁とを備え、前記濾過部材内に、前記液体の流れによって前記濾過部材に接触して、前記濾過部材の内面に付着した異物を擦り落とす清掃部材を設けたことを特徴とする。
【００１３】
本発明のＹ型ストレーナによれば、配管ラインを流れる液体中に含まれる異物は、液体が濾過部材を通過する際に濾過されることにより、濾過部材で捕捉されて液体中から除去される。また、清掃部材が濾過部材を通過する液体の流れによって濾過部材に接触することにより、濾過部材の内面に付着した異物が擦り落とされる。また、濾過部材の内面から擦り落とされた異物は、ドレン弁を開くことにより配管ライン外に排出される。従って、濾過部材を取り外すことなく、配管ラインを流れる液体を停止させることなく、濾過部材が捕捉した異物を配管ライン外に排出させることができる。この結果、異物の除去作業を容易に行うことができるとともに、配管ラインの下流側の各種の機器等の稼働率を高めることができる。
【００１４】
また、本発明において、前記清掃部材は、楕円体状の本体と、該本体の表面に植設されるブラシとからなることとしてもよい。
【００１５】
本発明のＹ型ストレーナによれば、清掃部材は、本体の表面にブラシを植設させた簡単な構造のものであるので、全体の構造を簡素化することができる。従って、製造コストを低減させることができ、安価なものを提供することができる。
【００１６】
また、本発明において、前記清掃部材は、球体状又は多面体状の本体と、該本体の中心から偏心した位置に設けられる錘と、該本体の表面に植設されるブラシとからなることとしてもよい。
【００１７】
本発明のＹ型ストレーナによれば、清掃部材の本体の中心から偏心した位置に錘を設けたことにより、清掃部材の重心の位置を中心からずらすことができる。従って、清掃部材を回転しやすくすることができるとともに、回転が不規則になるように構成することができ、濾過部材の内面に付着した異物を効率良く擦り落とすことができる。
【００１８】
また、本発明において、前記本体には、該本体の内外を連通するドレン管と、該ドレン管を開閉させるドレン弁とが設けられ、前記本体は、前記ドレン管の内径よりも大きく形成されていることとしてもよい。
【００１９】
本発明のＹ型ストレーナによれば、清掃部材が異物と一緒にドレン管から排出されるようなことはなく、ドレン管から異物のみを排出させることができ、清掃部材の機能を長期的に維持することができる。
【発明の効果】
【００２０】
以上、説明したように、本発明のＹ型ストレーナによれば、濾過部材を取り外すことなく、また、配管ラインを流れる液体を停止させることなく、濾過部材が捕捉した異物を配管ライン外に排出させることができる。また、全体の構造を簡素化することができるので、製造コストを低減させることができ、安価なものを提供することができる。
【図面の簡単な説明】
【００２１】
【図１】本発明によるＹ型ストレーナの一実施の形態の全体を示した断面図である。
【図２】図１のＹ型ストレーナの清掃部材の斜視図である。
【発明を実施するための形態】
【００２２】
以下、図面を参照しながら本発明の実施の形態について説明する。
図１〜図２には、本発明によるＹ型ストレーナの一実施の形態が示されている。本発明のＹ型ストレーナ１は、配管ライン２３の途中に設けられて、配管ライン２３中を流れる水、油等の液体３０中に混入している異物３１を捕捉して除去するのに適用され、濾過部材１９を取り外すことなく、かつ、配管ライン２３を流れる液体３０を停止させることなく、濾過部材１９が捕捉した異物３１を清掃して除去し、配管ライン２３外に排出させることができるように構成したものである。
【００２３】
Ｙ型ストレーナ１は、図１に示すように、配管ライン２３の途中に接続される本体２と、本体２内に設けられる濾過部材１９と、濾過部材１９内に設けられる清掃部材２０と、本体２内外を連通するドレン管１１と、ドレン管１１を開閉させるドレン弁１２とを備えている。
【００２４】
本体２は、一端に流入口４が設けられ、他端に流出口５が設けられる主流路３と、主流路３の中間部から斜め方向に分岐されるとともに、先端が開口される分岐流路７とを備え、主流路３の中間部には、主流路３を流れる液体３０を分岐流路７に導く整流板６が設けられている。
【００２５】
本体２は、主流路３の一端のフランジ１４を配管ライン２３の途中の上流側のフランジ２４にパッキン等のシール部材１６を介してねじ締結体１７により連結し、主流路３の他端のフランジ１５を配管ライン２３の途中の下流側のフランジ２５にパッキン等のシール部材１６を介してねじ締結体１７により連結することにより、配管ライン２３の途中に設けられる。
【００２６】
分岐流路７の先端の開口部８は、円板状の蓋９によって閉塞され、この蓋９によって分岐流路７に対応する部分に密閉された空間である濾過部材取付部１３が設けられ、この濾過部材取付部１３に濾過部材１９が着脱可能に取り付けられる。
【００２７】
濾過部材１９は、例えば、ステンレス鋼板に所定のピッチで孔を開けた多孔板を材料として形成される筒状の多孔板スクリーン、ステンレス線による平織、畳織のメッシュを材料として形成される筒状のメッシュスクリーン、多孔板スクリーンとメッシュスクリーンとを組み合わせて形成される筒状の二重構造スクリーン等であって、対象の液体３０、及び液体３０に含まれる異物３１の種類に応じて、適宜のタイプのものが使用される。
【００２８】
濾過部材１９は、濾過部材取付部１３内に収納した状態で、分岐流路７の開口部８に蓋９を取り付けることにより、両端が蓋９の内面と整流板６の蓋９側の面に当接され、濾過部材取付部１３の所定の位置に固定される。
【００２９】
蓋９の一部には、蓋９を貫通して濾過部材取付部１３内に連通する孔１０が設けられ、この孔１０にドレン管１１が接続されるとともに、ドレン管１１の途中に、ドレン管１１を開閉させるドレン弁１２が設けられる。
【００３０】
清掃部材２０は、図２に示すように、本体２１と、本体２１の表面に植設される金属製又は合成樹脂製の線材又は繊維からなるブラシ２２とから構成され、濾過部材１９内に少なくとも１個の清掃部材２０が設けられる。
【００３１】
なお、清掃部材２０は、複数個を濾過部材１９内に設けてもよいが、複数個の清掃部材１９を設けると、清掃部材２０同士が干渉したり、清掃部材２０によって濾過部材１９の濾過抵抗が増加して、液体３０の流れを妨げる問題が生じることがあるので、１個の清掃部材２０のみを濾過部材１９内に設けるのが好ましい。
【００３２】
清掃部材２０は、濾過部材１９内で回転しやすくするために、本体２１を楕円体状に形成するとともに、回転が不規則になるようにするために、本体２１の全表面ではなく、左右又は上下何れかの半分の表面にブラシ２２を植設している。
【００３３】
また、対象の液体３０中を浮遊しやすくするために、全体の比重が対象の液体３０の比重よりも小さくなるように、本体２１の素材（例えば、発泡樹脂等）及びブラシ２２の素材を選定している。
【００３４】
さらに、ドレン管１１から異物３１と一緒に排出されないようにするために、楕円体状の本体２１の短直径を、ドレン管１１の内径よりも大きい寸法に設定している。
【００３５】
そして、上記のように構成した本実施の形態のＹ型ストレーナ１を配管ライン２３の途中に取り付け、配管ライン２３に液体３０を供給すると、その液体３０は配管ライン２３の上流側からＹ型ストレーナ１の流入口４に導かれ、流入口４を通じて主流路３内に流入し、主流路３の中間部の整流板６を通じて分岐流路７内に流入し、分岐流路７内の濾過部材１９内に流入し、濾過部材１９を通過して主流路３に流れ、主流路３から配管ライン２３の下流側に導かれ、配管ライン２３の下流側に接続される各種の機器等に供給される。
【００３６】
この際、液体３０内に含まれる異物３１は、液体３０が濾過部材１９を通過する際に濾過されることにより、濾過部材１９の内面側で捕捉されて液体３０中から除去され、除去された異物３１は濾過部材１９の内面側に付着し、異物３１が含まれていない液体３０が配管ライン２３の下流側の各種の機器等に供給される。
【００３７】
また、濾過部材１９内には清掃部材２０が設けられ、この清掃部材２０が濾過部材１９を通過する液体３０の流れによって回転し、この清掃部材２０のブラシ２２が濾過部材１９の内面に接触することにより、濾過部材１９の内面に付着した異物３１が擦り落とされる。
【００３８】
この場合、清掃部材２０の比重を液体３０よりも小さく設定しているので、液体３０中で清掃部材２０を効率良く浮遊させることができ、清掃部材２０を濾過部材１９の内面の全体に効率良く接触させることができる。
【００３９】
また、清掃部材２０の楕円体状の本体３１の略半分の表面にブラシ２２を植設しているので、清掃部材２０の重心が偏心し、これにより清掃部材２０を不規則に回転させて、清掃部材２０のブラシ２２を濾過部材１９の内面の略全体に接触させることができる。
【００４０】
従って、濾過部材１９内面に付着した異物３１を擦り残すことなく、効率良く擦り落とすことができる。
【００４１】
また、濾過部材１９の内面からブラシ２２によって擦り落とされた異物３１は、濾過部材１９内の液体３０中に滞留することになるので、所定の時間ごとにドレン弁１２を開くことにより、ドレン管１１を通じて濾過部材１９内から配管ライン２３外に排出させることができる。この場合、配管ライン２３中の液体３０の流れを停止させることなく、また、配管ライン２３の各種の機器等を停止させることなく、異物３１を排出させる作業を行うことができる。また、清掃部材２０は、楕円体状の本体２１の短直径がドレン管１１の内径よりも大きい寸法に設定されているので、異物３１と一緒にドレン管１１から排出されるようなことはなく、異物３１のみを排出させることができる。
【００４２】
上記のよう構成した本実施の形態のＹ型ストレーナ１にあっては、濾過部材１９の内面側に付着した異物３１を、濾過部材１９内に設けた清掃部材２０によって濾過部材１９の内面から擦り落として除去することができ、除去した異物３１をドレン弁１２を開くことにより、配管ライン２３外に排出させることができる。
【００４３】
従って、濾過部材１９内面に付着した異物３１を除去する際に、濾過部材１９を配管ライン２３から取り外す必要がないので、異物３１の除去作業を容易に行うことができる。
【００４４】
また、配管ライン２３を流れる液体３０を停止させる必要はなく、配管ライン２３の下流側の各種の機器等を停止させる必要もないので、各種の機器等の稼働率を高めることができる。
【００４５】
さらに、濾過部材１９内に、本体２１の表面にブラシ２２を植設させた清掃部材２０を設けた簡単な構造のものであるので、全体の構造を簡素化することができ、製造コストを低減させることができ、安価なものを提供することができる。
【００４６】
なお、上記の説明においては、清掃部材２０の本体２１を楕円体状に形成したが、本体２１は楕円体状に限らず、球体状、多面体（十二面体、二十面体等）状等に形成してもよい。その場合には、中心から偏心した位置に錘を設ける等の手段によって重心の位置を中心からずらすことにより、回転しやすくするとともに、回転が不規則になるように構成すればよい。
【００４７】
また、清掃部材２０は、本体２１の表面にブラシ２２を植設させたものに限らず、楕円体、球体、多面体の表面に先端が尖った形状の突起を複数設けた形状（例えば、金平糖状等）のものであってもよい。
【００４８】
また、清掃効果は低下するが、本体２１の表面の全体にブラシ２２を設けるように構成してもよい。
【００４９】
なお、上記の説明においては、本発明のＹ型ストレーナ１を水、油等の液体を流通させる配管ライン２３に適用したが、空気等の気体を流通させる配管ラインに適用してもよいものであり、その場合にも同様の作用効果を奏する。
【符号の説明】
【００５０】
１  Ｙ型ストレーナ
２  本体
３  主流路
４  流入口
５  流出口
６  整流板
７  分岐流路
８  開口部
９  蓋
１０  孔
１１  ドレン管
１２  ドレン弁
１３  濾過部材取付部
１４  フランジ
１５  フランジ
１６  シール部材
１７  ねじ締結体
１９  濾過部材
２０  清掃部材
２１  本体
２２  ブラシ
２３  配管ライン
２４  フランジ
２５  フランジ
３０  液体
３１  異物
【図１】
2017042707.tif 000003
【図２】
2017042707.tif 000004